(57)【要約】【課題】従来の球発射方向を修正するためのガイドレールの設置領域が不要とし且つ空中発射距離を短くでき、これにより衝撃力を小さくでき、しかも外レールへの球の乗り移りがスムーズにでき、エネルギーロスを小さくして、球飛び精度を良くすると共に、遊戯領域をより大きく確保すること。【解決手段】遊戯盤面２の正面から見て一側方に偏った位置に、球３を遊戯領域５に導くための外レール８が立設され、外レール８の下方に球３を磁力で略垂直方向に発射させるための電磁非接触式の球発射装置６が配置されたパチンコ遊戯機１である。【選択図】        図１
2004350788.tif 000002
【特許請求の範囲】
【請求項１】
遊戯盤面の正面から見て一側方に偏った位置に、球を遊戯領域に導くための外レールが立設され、外レールの下方に球を磁力で略垂直方向に発射させるための電磁非接触式の球発射装置が配置されてなることを特徴とするパチンコ遊戯機。
【請求項２】
外レールは、球が最初に着地する部分が平坦面状とされ、上に行くほど徐々にアール形状となっていることを特徴とする請求項１記載のパチンコ遊戯機。
【請求項３】
上記電磁非接触式の球発射装置の球発射出口の上部に、２個球防止ガイドを兼ねるファール球回収トレイを配置したことを特徴とする請求項１記載のパチンコ遊戯機。
【請求項４】
上記２個球防止ガイドは、１個の球のみが通過可能なギャップ部に、球が飛び出す方向のみに開き逆方向には開かない逆止機能を有する蓋体を設けて構成されていることを特徴とする請求項３記載のパチンコ遊戯機。
【発明の詳細な説明】
【０００１】
【発明の属する技術分野】
本発明は、パチンコ遊戯機に関するものである。
【０００２】
【従来の技術】
従来、図５のように、遊戯盤面２の右側下部に、モータ、ソレノイドによる杵打ちタイプの球発射装置５０を配置し、球発射方向の安定化のために、球発射装置５０と左側下部に配置した外レール８との間に左上がりで約２０°〜３０°の角度をもたせた発射バンドと呼ばれるＵ形（或いはＶ形）のガイドレール７を設置したものが知られている。そして、球発射装置５０からの球３をガイドレール７上に打撃することで、球３はガイドレール７上を転がり、発射方向が修正されて外バンドと呼ばれる外レール８へ飛び移るような構造となっている。
【０００３】
他の従来例として、図６のように杵打ちタイプの球発射装置５０を遊戯盤面２の左側下部に配置し、ガイドレール７を垂直にしたものが知られている（例えば、特許文献１参照）。
【０００４】
【特許文献１】
特開２００２−３５２６４号公報
【０００５】
【発明が解決しようとする課題】
ところが、上記図５に示す従来例では、杵打ちタイプの球発射装置５０から発射される球３の発射方向をガイドレール７にて修正する必要があるため、ある程度の長さのガイドレール７が必要となり、しかもガイドレール７は斜め横向きに設置されているため、ガイドレール７の設置スペースが広がり、これに伴い遊戯盤面２の遊戯領域５が狭くなる問題がある。とくに近年のパチンコ遊戯機は液晶サイズの拡大化が進み、遊戯領域５が狭くなっているのが現状である。
【０００６】
また、上記図６に示す従来例では、外レール８と球発射装置５０との間にガイドレール７を垂直に配置しているため、ガイドレール７の長さが短く、発射方向の修正が不十分となり、ガイドレール７が機能しなくなり、球発射方向が不安定となり、結果、球３の発射方向にバラツキが生じやすく、またハンドルボリュームでの強弱によっても、球３の発射距離がバラツキやすく、球飛び精度が悪くなるという問題がある。
【０００７】
そこで、本発明者は本発明に至る過程で、図７のように球３を磁力によって発射する電磁非接触式の球発射装置６を遊戯盤面２の右側下部に設置し、球３を約２０°〜３０°の角度で外レール８に向かって飛ばすようにしたものを考えた。
【０００８】
ところが、この電磁非接触式の球発射装置６は遊戯盤面２の右側下部に配置されており、球３を右端から左端まで飛ばす必要があり、初期発射角度γが大きく且つ発射した球３が放物運動を行なうので、外レール８への球３の入射角度αが大きくなり、結果、衝撃力が大きくなり、また球３が外レール８によりバウンドする際に、バウンド量が変化すると共に、球３が遊戯盤面２やガラスに接触してエネルギーがロスし、これによる球３の発射距離のバラツキが発生するという問題がある。さらに空中発射距離Ｄが長くなるために初速を大きくする必要が生じ、球発射装置６が大型化するという問題もある。
【０００９】
本発明は、上記の従来例の問題点に鑑みて発明したものであって、その目的とするところは、従来の球発射方向を修正するためのガイドレールの設置領域が不要とし且つ空中発射距離を短くでき、これにより衝撃力を小さくでき、しかも外レールへの球の乗り移りがスムーズにでき、エネルギーロスを小さくでき、球飛び精度を良くすると共に、遊戯領域をより大きく確保できるようにしたパチンコ遊戯機を提供することにある。
【００１０】
【課題を解決するための手段】
上記課題を解決するために本発明に係るパチンコ遊戯機は、遊戯盤面２の正面から見て一側方に偏った位置に、球３を遊戯領域５に導くための外レール８が立設され、外レール８の下方に球３を磁力で略垂直方向に発射させるための電磁非接触式の球発射装置６が配置されてなることを特徴としている。
【００１１】
このような構成とすることで、電磁非接触式の球発射装置６においてはガイドレール７の設置領域が不要となり且つ空中発射距離Ｄが短くなるため、遊戯領域５を大きく確保できるようになる。とくに空中発射距離Ｄが短くなることで、初期発射角度のバラツキによる影響も少なくなるだけでなく、外レール８への球３の入射角度αを小さくでき、これにより、衝撃力を小さくでき、しかも外レール８への球３の乗り移りがスムーズにできると共に、球３が外レール８によりバウンドする際のバウンド量の変化も小さく、エネルギーロスを小さくできる結果、球３の発射距離のバラツキや球発射方向のバラツキが小さくなり、球飛び精度が良くなる。さらに空中発射距離Ｄが短いことで、球３の初速が小さくて済み、球発射装置６の小型化を図ることができ、遊戯領域５をより大きく確保できるものである。
【００１２】
また、上記外レール８は、球３が最初に着地する部分８ａが平坦面状とされ、上に行くほど徐々にアール形状となっているのが好ましい。
【００１３】
このような構成とすることで、球３が最初に着地する部分８ａが平坦面状となっているため球３のバウンド量が一定となり、これにより球３が遊戯盤面２やガラスに接触しにくくなってエネルギーロスをより小さくできる結果、球３の発射距離のバラツキがなくなり、球飛び精度をより一層向上させることができる。
【００１４】
また、上記電磁非接触式の球発射装置６の球発射出口１０の上部に、２個球防止ガイド１１を兼ねるファール球回収トレイ１２を配置するのが好ましい。
【００１５】
このような構成とすることで、ファール球３ａが球発射装置６の球発射出口１０に飛び込むのを２個球防止ガイド１１によって防止でき、２個球による球３の発射が不可能となってしまうおそれがなくなる。しかも、ファール球３ａを回収するためのファール球回収トレイ１２が２個球防止ガイド１１を兼ねているため、部品数を削減でき、小型化を容易に図ることができ、遊戯領域５を一層確保できるようになる。
【００１６】
また、上記２個球防止ガイド１１は、１個の球３のみが通過可能なギャップ部１３に、球３が飛び出す方向のみに開き逆方向には開かない逆止機能を有する蓋体１４を設けて構成されているのが好ましい。
【００１７】
このような構成とすることで、ギャップ部１３と蓋体１４とを用いて２個球防止ガイド１１が簡単に作製でき、２個球防止ガイド１１の小型化を一層図ることが可能となる。
【００１８】
【発明の実施の形態】
以下、本発明を添付図面に示す実施形態に基づいて説明する。
【００１９】
本実施形態のパチンコ遊戯機１は、図１に示すように、遊戯盤面２の左側には外バンドと呼ばれる外レール８と、内バンドと呼ばれる内レール９とが設けられ、外レール８と内レール９にて囲まれた発射領域４と、内レール９の内側に配置される遊戯領域５とを備えている。遊戯盤面２の左側下部における外レール８の下方位置には電磁非接触式の球発射装置６が配置されている。ハンドルを回転操作することにより、この球発射装置６から発射された球３が外レール８に直接乗り移り、発射領域４を移動し、遊戯領域５に打ち出されるようになっている。
【００２０】
上記外レール８は、図２に示すように、球３が最初に着地する部分８ａが平坦面状とされ、上に行く程徐々にアール形状となっている。球３が最初に着地する部分８ａを平坦面状とすることで、球３のバウンド量が一定となり、球３が遊戯盤面２やガラスに接触しにくくなってエネルギーロスを小さくできるものである。
【００２１】
上記外レール８の下方に配置される電磁非接触式の球発射装置６は、球３を磁力で略垂直方向に発射させるためのものであり、図３にその一例を示している。コイル（図示せず）が巻回されている上部ボビン１５と下部ボビン１６とを対向させると共に、これらボビン１５，１６にそれぞれヨーク１７，１８の一端を挿入し、対向するボビン１５，１６の端面間をギャップＧとして、ボビン１５，１６のコイルに電流を供給してギャップＧ間に磁力を発生させることで、レール１９上に供給された球３を吸引して、球発射口１０から発射させるものである。なお図３中の２０はヨーク同士を連結する金具である。この電磁非接触タイプのものは、従来のガイドレール７による球発射方向の修正が不要であり、且つ垂直方向への球３の発射が容易になるという利点を有している。
【００２２】
ここでは、球発射方向を略垂直方向としている。この略垂直方向とは、垂直方向乃至±２０°の範囲を含むものとする。また外レール８の角度β（図２）は、球３が外レール８にスムーズに乗り移ることができるようにするため、球発射装置６の球発射方向と同じとするか、或いは当該球発射方向よりも１°〜１０°大きく設定してある。例えば、球３が外レール８に乗り移るときの球進行方向と外レール８との角度を０°〜１０°の範囲としている。ここでは、球３の発射角度をαとしたとき、α≦βに設定している。
【００２３】
しかして、上記構成のパチンコ遊戯機１によれば、電磁非接触式の球発射装置６を外レール８の下方に配置すると共に球発射方向を略垂直方向としているため、発射された球３は、直接、外レール８に乗り移ることが可能となる。しかも従来の杵打ちタイプのように球発射方向を修正するためのガイドレール７（図５、図６）が不要である。従って、ガイドレール７の設置領域が不要となり且つ空中発射距離Ｄ（図１）が短くなるため、遊戯領域５を大きく確保できるようになる。
【００２４】
また上記のように空中発射距離Ｄが短くなることで、初期発射角度のバラツキによる影響も少なくなり、これに伴い外レール８への球３の入射角度α（図７）を小さくできる。従って、衝撃力を小さくでき、しかも外レール８への球３の乗り移りがスムーズにできるようになると共に、球３が外レール８によりバウンドする際のバウンド量の変化も小さくなり、これに伴い球３が遊戯盤面２やガラスに接触しにくくなってエネルギーロスが小さくなる結果、球３の発射距離のバラツキがなくなり、球飛び精度が良くなる。しかも、従来の図６、図８で示した場合にあっては、球３は右端から左端に発射されるので、仮りにパチンコ遊戯機１の中枠に横方向の歪みがあると、球発射方向にバラツキが発生しやすくなるが、本発明では、球発射装置６を遊戯盤面２の左側下部に配置し、外レール８の下方から球３を略垂直方向に発射するようにしたので、球３は左端下から左端上に発射されることとなり、中枠の歪みによる影響が小さくなり、球発射方向のバラツキを防止でき、球飛び精度が一層良くなる。そのうえ空中発射距離Ｄが短いために、球３の初速が小さくて済み、球発射装置６の小型化を容易に図ることができるという利点もある。
【００２５】
ところで、上記電磁非接触式の球発射装置６から発射された球３が遊戯領域５に達しない場合は、図４に示すように、ファール球３ａとして再び発射領域４に戻る。このとき、ファール球３ａが球発射装置６の球発射出口１０に飛び込むと、いわゆる２個球となり、この場合、球３の発射が不可能となってしまい、遊戯が中断されるという問題が生じる。
【００２６】
そこで本発明では、図２、図４に示すように、球発射装置６の球発射出口１０の上部に設置されたファール球回収トレイ１２によってファール球３ａを回収すると共に、２個球防止ガイド１１によって２個球が発生するのを防止している。図４に示すように、本例の２個球防止ガイド１１は、１個の球３のみが通過可能な垂直方向のギャップ部１３に面して、球３が飛び出す方向（図４の矢印イ方向）のみに開き逆方向には開かない逆止機能を有する蓋体１４を設けて構成されている。これらギャップ部１３と蓋体１４とで２個球防止ガイド１１が簡単に作製できるものとなる。しかもこの２個球防止ガイド１１は、ファール球回収トレイ１２の中央部に一体に設けられており、ファール球回収トレイ１２の両サイドには、下皿（図示せず）に連通する上下に開口したトレイ部１２ａがそれぞれ設けられていると共に、ファール球回収トレイ１２の外端部には背の高い跳ねかえり用壁２１が突出されている。これにより、ファール球３ａはファール球回収トレイ１２のトレイ部１２ａに回収されるようになる。なおファール球３ａは必ずしもトレイ部１２ａに直接戻るとは限らず、戻る途中で発射された球３と当たる場合があり（例えば、図４のロで示す箇所）、この場合、ファール球３ａも発射された球３もどこに飛ぶかわからないが、本発明では当たった球３が蓋体１４の上に落ちても蓋体１４は開かず、トレイ部１２ａに直接戻されるか、或いは蓋体１４に跳ねかえった後でトレイ部１２ａに戻されるかのいずれかであり、２個球の発生を確実に防止でき、遊戯が中断されることがなくなる。しかもファール球回収トレイ１２が２個球防止ガイド１１を兼ねることで、部品数を削減でき、小型化を容易に図ることができ、遊戯領域５を確保するうえで好ましいものとなる。
【００２７】
なお、前記実施形態では電磁非接触式の球発射装置６を遊戯盤面２の左側下部に配置した場合を例示したが、球発射装置６の位置は必ずしも左側下部に限られるものではなく、要するに外レール８の下方位置であればよいものである。
【００２８】
【発明の効果】
上述のように本発明にあっては、電磁非接触式の球発射装置を用いることでガイドレールの設置領域が不要となり且つ空中発射距離が短くなり、従って、衝撃力を小さくでき、しかも外レールへの球の乗り移りがスムーズにでき、エネルギーロスが小さくなる結果、球の発射距離のバラツキや球発射方向のバラツキが小さくなり、球飛び精度が良くなると共に、球発射装置の小型化を図ることができ、遊戯領域をより大きく確保できる。この結果、近年のパチンコ遊戯機は液晶サイズの拡大化が進み、遊戯領域が狭くなっているが、本発明によれば遊戯領域を大きく広げることができるので、大きな液晶が使用でき、ゲームの演出効果をあげることができる。
【図面の簡単な説明】
【図１】本発明の実施形態の一例を示す正面図である。
【図２】同上の電磁非接触式の球発射装置の球発射方向と外レールの角度との関係を説明する正面図である。
【図３】同上の電磁非接触式の球発射装置の説明図である。
【図４】同上の２個球防止ガイドを兼用するファール球回収トレイを説明する斜視図である。
【図５】従来の杵打ち式の球発射装置を遊戯盤面の右端に設けた場合の説明である。
【図６】従来の杵打ち式の球発射装置を遊戯盤面の左端に設けた場合の説明である。
【図７】本発明の参考図である。
【符号の説明】
１  パチンコ遊戯機
２  遊戯盤面
３  球
５  遊戯領域
６  電磁非接触式の球発射装置
８  外レール
８ａ  最初に着地する部分
１０  球発射出口
１１  ２個球防止ガイド
１２  ファール球回収トレイ
１３  ギャップ部
１４  蓋体
【図１】
2004350788.tif 000003
【図２】
2004350788.tif 000004
【図３】
2004350788.tif 000005
【図４】
2004350788.tif 000006
【図５】
2004350788.tif 000007
【図６】
2004350788.tif 000008
【図７】
2004350788.tif 000009